【事件の表示】
　昭和６３年　特　許　願　第２９５７０１号「パチンコ遊技場の持ち玉精算装置」拒絶査定に対する審判事件（平成２年５月３１日出願公開、特開平２−１４２５８５）について、次のとおり審決する。
【結論】
　本件審判の請求は、成り立たない。
【理由】
１．手続の経緯・本願発明
　本願は、昭和６３年１１月２２日に出願されたものであって、平成７年１１月２２日付け、平成９年９月２２日付け手続補正により補正された明細書及び図面の記載からみて、請求項１に係る発明はその特許請求の範囲の請求項１に記載された次のとおりのものと認める。（以下、「本願発明」という）「（１）持ち玉数情報に基づいて作動するパチンコ遊技機にそれぞれ対応して設けられ、精算開始手段と発券手段とを備え、前記精算開始手段が操作されたとき、前記持ち玉数情報を記録した券を前記発券手段により発行するように構成するとともに、前記パチンコ遊技機の前面にはパチンコ玉を受けながら玉発射装置に導く玉供給皿を設け、その玉供給皿を透明のカバーにより覆ってパチンコ遊技機外へパチンコ玉が出ないようにしたことを特徴とするパチンコ遊技場の持ち玉精算装置。」
２．引用例の記載
　これに対し、原査定の拒絶の理由に引用された特開昭６３−８９１８２号公報（以下、「引用例１」という）には、
「不揮発性メモリに記憶された持ち玉数の範囲内で単一のパチンコ遊技機内に封入されたパチンコ球を弾発してパチンコ遊技を行うパチンコ遊技機。」（第１頁左下欄第７行〜第１０行）
「１７は電子カードを挿入するカード保持装置・・・３７は遊技客が自発的に遊技を終了する時に押す終了スイッチを各々示す。」（第４頁右上欄第９行〜第１４行、第１図）
「新たな持ち玉数や発射球の積算値や回収玉の積算値はＲＡＭ４３内に書き込まれるとともに、電子カ一ド２０に与えられ、記憶部のデータ領域２０ｂに記憶される。」（第９頁右下欄第９〜１３行）
「遊技客がパチンコ遊技機１の前面にある遊技終了スイッチ３７を押した場合・・・ＣＰＵ４１は終了スイッチ３７が押されると・・・電子カード２０はスプリング１７ｈによってカード挿入溝１７ａから排出され。」（第９頁右下欄第１９〜１０頁左上欄第９行）
「電子カード式パチンコ遊技機１の場合、パチンコ球は単一のパチンコ遊技機内でのみ循環し、パチンコ遊技機外部との間でパチンコ球が流通しない。そこで，本実施例のパチンコ遊技機１は目視によるパチンコ遊技機の状態の把握を容易にするとともに．パチンコ遊技の臨場感を昂揚するために、以下の様な構成を有する。
　先ず、９は封入球樋であり、封入球樋９は通常のパチンコ遊技機における受皿に相当する箇所に設けられ．封入球樋９には打球杵４ｂにより打発されたパチンコ球の内の入賞球及びアウト球を回収する回収口９ａが臨み、封入球樋９の先端部分は打球杵４ｂに至るそして、封入球樋９内のパチンコ球は透過窓９ｂから視覚的に確認することができる。」（３頁右下欄１１行〜４頁左上欄６行）と記載されている。
　同じく原査定の拒絶の理由に引用された特開昭６３−１３５１８６号公報（以下、「引用例２」という）には、
「基台１２に、前記中央制御装置４２と接続する終了ボタン４５及び記録部６と接続する確認ボタン４６が取付く。」（第３頁左上欄第８行〜第１０行）
「購入された記録シート２は、シート取付け部３すなわち本例では挿入口４１へ挿入される。パチンコ装置１は、第２図に示すように、前記挿入によるカード入力によって遊技制御装置２８を作動する。又カード入力は、記録部６を作動し、記録部６の読み取り機能によって記録シート２の玉数が計算手段５へ送信されるとともに、表示部４０Ａには、該玉数を、持ち玉数として表示される。さらに計算手段５は、遊技玉送給具３３を制御しつつ収容部１５へ遊技玉９・・・を所定の玉数Ｘ、例えば１５個送給させる。」（第３頁左下欄第１２行〜右下欄第３行）
「図において本発明のパチンコ装置１は記録シート２を取り出し可能に保持するシート取付部３と持ち玉の数を演算する計算手段５とを具えるとともに、終了操作によって持ち玉の数を記録シート２に記録する記録部６を設けている。」（第２頁左上欄第１２行〜第１７行、第１図）
「遊技者が他台へ移動又は景品への交換を行う場合には、遊技者の終了操作、すなわち本例では中央制御装置４２に遊技終了を指示する終了ボタン４６の押釦及び表示部４０Ａの持ち玉の数と中央制御装置４２から返信される記録表示部４０Ｂの記録玉数との一致を確認するための確認ボタン４６の押釦との一連操作により、記録部６は、シート取付部３に取り出し可能に保持される記録シート２へ持ち玉数を記録する。」（第４頁左上欄第３行〜第１１行）
「遊技玉９は、第２図に一点鎖線で示す如く遊技玉送給具３３、遊技部１１及び搬送装置間で、その移動が行われるため、他店玉の混入、ほこり、タバコの灰等の汚れ、及び床への落下等を防止でき、遊技玉９の選別作業、洗浄作業、回収作業等の保守管理作業を簡略化しうる。」（第４頁右上欄第５行〜第１０行）
「遊技終了に際しては、例えば終了ボタン４６の押釦等の終了操作によって持ち玉数を記録する記録シート片をロール状の記録シート２から巻きもどしかつ切り出すことによって取り出し可能に構成しうる。」（第４頁左下欄第１３行〜第１７行）と記載されている。
３．対比
　引用例１に記載された「不揮発性メモリに記憶された持ち玉数の範囲内で単一のパチンコ遊技機内に封入されたパチンコ球を弾発してパチンコ遊技を行うパチンコ遊技機」は、本願発明の「持ち玉数情報に基づいて作動するパチンコ遊技機」に引用例１に記載された「打球杵」は本願発明の「玉発射装置」にそれぞれ相当する。また、引用例１に記載の「封入球樋」は、通常のパチンコ機における受皿に相当する箇所に設けられ、先端部分が打球杵に至るという記載からみて、本願発明の「パチンコ玉を受けながら玉発射装置に導く玉供給皿」に相当する。
　さらに、引用例１に記載されるパチンコ機に使用されるパチンコ球が、封入されていること、及び単一のパチンコ遊技機内のみ循環し、パチンコ機外部との間でパチンコ機は流通しないという記載からみて、本願発明と同様に引用例１においてもパチンコ玉がパチンコ遊技機外へ出ないことは明らかである。
　以上のことより、引用例１には「持ち玉数情報に基づいて作動するパチンコ遊技機にそれぞれ対応して設けられ、遊技終了スイッチが押されると、持ち玉の積算値がデータ領域に記憶された電子カードを排出するように構成するとともに、前記パチンコ遊技機の前面にはパチンコ玉を受けながら玉発射装置に導く玉供給皿を設け、該玉供給皿は、玉供給皿内のパチンコ玉を外部から視認可能に構成され、かつ、パチンコ遊技機外へパチンコ玉が出ないようにしたことを特徴とするパチンコ遊技場の持ち玉精算装置。」という発明が記載されている。
　本願発明と引用例１に記載の発明とを比較すると、本願発明と引用例１に記載の発明は、「持ち玉数情報に基づいて作動するパチンコ遊技機にそれぞれ対応して設けられ、持ち玉精算手段を備え、前記パチンコ遊技機の前面にはパチンコ玉を受けなから玉発射装置に導く玉供給皿を設け、該玉供絵皿は、玉供給皿内のパチンコ玉を外部から視認可能に構成され、かつ、パチンコ遊技機外へパチンコ玉が出ないようにしたことを特徴とする遊技場の持ち玉精算装置。」の点で一致し、（１）持ち玉精算手段として、本願発明では「精算開始手段と発券手段とを備え、精算開始手段が操作されたとき、持ち玉数情報を記録した券を発券手段から発行するように構成」されているのに対して、引用例１に記載の発明では「遊技終了スイッチが押されると、持ち玉の積算値がデータ領域に記憶された電子カードを排出するように構成」される点、（２）玉供給皿内のパチンコ玉を外部から視認可能にする構成として本願発明では玉供給皿を透明カパーで覆っているのに対して、引用例１に記載の発明においては透過窓である点で相違している。
４．当審の判断
　以下に、上記相違点について検討する。
　相違点（１）について
　引用例２には、基台に終了ボタンと記録部を設け、終了ボタンの押釦によって、記録シートへ持ち玉数を記録し、該記録済の記録シートを取り出し可能に構成した発明が記載されている。ここで、上記終了ボタンは、本願発明の精算開始手段に相当し、上記記録シートの記録手段及び上記記録済シートを取り出し可能にした構成が、本願発明の発券手段に相当するから、引用例２には、「パチンコ遊技機にそれぞれ対応して設けられ、精算開始手段と発券手段とを備え、精算開始手段が操作されたとき、持ち玉数情報を記録した券を発券手段から発行する」発明が記載されている。
　してみると、引用例１に記載された発明もパチンコ機における遊技終了の際の精算手段を有するものであるから、引用例１の精算手段として引用例２に記載された精算手段を採用してみることは当業者が容易になし得たものである。
　相違点（２）について
　本願発明のものも引用例１に記載の発明のものも、機械内部の構成部材を外部から視認可能で、かつ機外に出さないという作用を有する点で軌を一にしており、上記作用を有する部材として透明カパーは周知であり、引用例１のおける封入球樋の透過窓を透明カパーで覆うようにすることは当業者が容易に想到し得たものである。
　さらに、本願発明が、引用例１及び２に記載された発明、並びに周知の技術が有する効果の総和以上の効果を奏しているとも認められない。
　なお、請求人は、審判請求理由補充書で、本願発明の構成のうち、玉供給皿に関して、玉供給皿が「パチンコ遊技機の前面に前方に突出して設け」ると補正する用意がある旨の主張をしている。
　しかしながら、本願の願書に添付された明細書及び図面には「玉供給皿はパチンコ遊技機の前面に設けられ」とのみ記載されており、パチンコ遊技機の前方に突出するかどうかは図面を参照しても不明である。さらに、玉供給皿がパチンコ遊技機の前面に前方に突出することが当業者にとって自明であったとしても、該構成は周知の構成であり、該構成を採ったことによって格別の作用効果が生じるとは認められず、当審の判断に影響を与えるものではない。
５．むすび
　以上のとおりであるから、本願発明は、上記引用例１及び２に記載された発明、並びに周知技術に基づいて当業者が容易に発明をすることができたものであるから、特許法第２９条第２項の規定により特許を受けることができない。
　よって、結論のとおり審決する。